(57)【要約】【課題】パネルの取付孔からの取り外し作業の作業性を向上させることが可能なワイヤハーネス用クランプを提供する。【解決手段】ワイヤハーネス用クランプ１００は、ワイヤハーネス１５０が取り付けられる取付部１と、パネル１６０の取付孔１６１に取付可能なクリップ部２とを備える。クリップ部２は、軸部２１と、軸部２１の上端部に形成された皿部２２と、軸部２１の下端部に形成された羽根部２３とを含む。羽根部２３は、弾性変形可能であり、外側面に係合部２３１ｃが形成され、上端部に係合解除用の押圧片２３２が形成されている。ワイヤハーネス用クランプ１００は、軸部２１が取付孔１６１に挿入され、クリップ部２が取付孔１６１に取り付けられた場合に、皿部２２がパネル１６０の表面１６０ａ側に配置され、係合部２３１ｃがパネル１６０の裏面１６０ｂに係合され、押圧片２３２がパネル１６０の表面１６０ａ側に配置されている。【選択図】図４
2019161880.tif 000002
【特許請求の範囲】
【請求項１】
ワイヤハーネスをパネルに固定するためのワイヤハーネス用クランプであって、
前記ワイヤハーネスが取り付けられる取付部と、
前記パネルの取付孔に取付可能なクリップ部とを備え、
前記クリップ部は、軸部と、前記軸部の一方端部に形成された皿部と、前記軸部の他方端部から前記皿部側に延びるように形成された羽根部とを含み、
前記羽根部は、弾性変形可能であり、外側面に係合部が形成されるとともに、前記皿部側の端部に係合解除用の押圧片が形成され、
前記軸部が前記取付孔に挿入され、前記クリップ部が前記取付孔に取り付けられた場合に、前記皿部が前記パネルの表面側に配置されるとともに、前記係合部が前記パネルの裏面に係合され、かつ、前記押圧片が前記パネルの表面側に配置されていることを特徴とするワイヤハーネス用クランプ。
【請求項２】
請求項１に記載のワイヤハーネス用クランプにおいて、
前記羽根部は、前記軸部に左右一対に設けられていることを特徴とするワイヤハーネス用クランプ。
【請求項３】
請求項１または２に記載のワイヤハーネス用クランプにおいて、
前記押圧片の外側面には、傾斜面が形成されていることを特徴とするワイヤハーネス用クランプ。
【発明の詳細な説明】
【技術分野】
【０００１】
本発明は、ワイヤハーネス用クランプに関する。
【背景技術】
【０００２】
従来、ワイヤハーネスをパネルに固定するためのワイヤハーネス用クランプが知られている（たとえば、特許文献１参照）。
【０００３】
このワイヤハーネス用クランプは、パネルの取付孔に挿入される一対のアンカー部と、ワイヤハーネスを保持する一対の保持部（取付部）とを備えている。アンカー部は、主軸の下端部から上方に延びるように形成され、外側面にパネルの裏面と係合する爪部が形成されている。保持部は、アンカー部と一体的に形成され、柱部を介して爪部に連結されている。保持部は、ワイヤハーネスの外周面に沿うように円弧状に湾曲され、一対の保持部の上端は、ワイヤハーネスを挿入可能なように間隔を隔てて配置されている。そして、一対の保持部の間にワイヤハーネスが配置され、その一対の保持部によってワイヤハーネスが保持されている。
【０００４】
ここで、ワイヤハーネス用クランプがパネルの取付孔から取り外される場合には、まず、ワイヤハーネスが一対の保持部から抜き取られる。そして、保持部が内側に押圧されてアンカー部が内側に撓まされることにより、パネルの裏面に対する爪部の係合が解除され、アンカー部を取付孔から抜き出し可能になる。これにより、ワイヤハーネス用クランプをパネルの表面側（パネルに対してワイヤハーネスが配置される側）から取り外すことが可能である。
【先行技術文献】
【特許文献】
【０００５】
【特許文献１】特開平１１−１３７２０号公報
【発明の概要】
【発明が解決しようとする課題】
【０００６】
しかしながら、上記した従来のワイヤハーネス用クランプでは、パネルの取付孔から取り外される場合に、ワイヤハーネスを保持部から抜き取る必要があるので、作業性が低いという問題点がある。
【０００７】
本発明は、上記の課題を解決するためになされたものであり、本発明の目的は、パネルの取付孔からの取り外し作業の作業性を向上させることが可能なワイヤハーネス用クランプを提供することである。
【課題を解決するための手段】
【０００８】
本発明によるワイヤハーネス用クランプは、ワイヤハーネスをパネルに固定するためのものであり、ワイヤハーネスが取り付けられる取付部と、パネルの取付孔に取付可能なクリップ部とを備える。クリップ部は、軸部と、軸部の一方端部に形成された皿部と、軸部の他方端部から皿部側に延びるように形成された羽根部とを含む。羽根部は、弾性変形可能であり、外側面に係合部が形成されるとともに、皿部側の端部に係合解除用の押圧片が形成されている。そして、ワイヤハーネス用クランプは、軸部が取付孔に挿入され、クリップ部が取付孔に取り付けられた場合に、皿部がパネルの表面側に配置されるとともに、係合部がパネルの裏面に係合され、かつ、押圧片がパネルの表面側に配置されている。
【０００９】
このように構成することによって、パネルの表面と皿部との間に工具を挿入することにより、押圧片を押して羽根部を弾性変形させることができるので、パネルの裏面に対する係合部の係合を解除することができる。これにより、ワイヤハーネスが取付部に取り付けられた状態のまま、パネルの表面側からクリップ部を取り外すことができるので、ワイヤハーネス用クランプの取付孔からの取り外し作業の作業性を向上させることができる。
【００１０】
上記ワイヤハーネス用クランプにおいて、羽根部は、軸部に左右一対に設けられていてもよい。
【００１１】
このように構成すれば、一対の羽根部の押圧片の両方を押すことにより、クリップ部を取り外すことができる。すなわち、二股ドライバやラジオペンチなどの工具を用いてクリップ部を取り外すことができる。
【００１２】
上記ワイヤハーネス用クランプにおいて、押圧片の外側面には、傾斜面が形成されていてもよい。
【００１３】
このように構成すれば、羽根部の揺動方向と直交する方向から工具が挿入された場合であっても、工具によって押圧片が内側に押されるようにすることができる。
【発明の効果】
【００１４】
本発明のワイヤハーネス用クランプによれば、パネルの取付孔からの取り外し作業の作業性を向上させることができる。
【図面の簡単な説明】
【００１５】
【図１】本実施形態によるワイヤハーネス用クランプを示した正面図である。
【図２】図１のワイヤハーネス用クランプを示した側面図である。
【図３】図１のワイヤハーネス用クランプを示した平面図である。
【図４】図３のＡ−Ａ断面図である。
【図５】本実施形態によるワイヤハーネス用クランプの取り外し作業を説明するための平面図である。
【図６】図５のＢ−Ｂ断面図である。
【発明を実施するための形態】
【００１６】
以下、本発明の一実施形態を図面に基づいて説明する。
【００１７】
まず、図１〜図４を参照して、本発明の一実施形態によるワイヤハーネス用クランプ１００について説明する。
【００１８】
ワイヤハーネス用クランプ１００は、図１および図２に示すように、ワイヤハーネス１５０をパネル１６０に固定するように構成されている。ワイヤハーネス１５０は、電力供給や信号伝達を行うために設けられている。パネル１６０は、たとえば車両（図示省略）の構成部品であり、ワイヤハーネス用クランプ１００は、車両におけるワイヤハーネス１５０の配索位置を規定する機能を有する。このワイヤハーネス用クランプ１００は、たとえば樹脂成形品であり、一体的に形成された取付部１およびクリップ部２を備えている。
【００１９】
取付部１は、図２に示すように、プレート１１とバンド１２と挿通孔１３とを含み、バンド１２によってワイヤハーネス１５０を保持するように構成されている。プレート１１には、長手方向の一方端部（Ｘ１方向側の端部）にバンド１２および挿通孔１３が形成されている。バンド１２は、一方端部１２１がプレート１１に連結され、他方端部側が挿通孔１３に挿入可能に構成されている。バンド１２が挿通孔１３に挿入されることにより、バンド１２が環状に形成され、その環状のバンド１２によってワイヤハーネス１５０が保持されている。すなわち、取付部１では、バンド１２によってワイヤハーネス１５０がプレート１１に取り付けられている。
【００２０】
バンド１２の一方の面には、複数の係合溝１２２（図１参照）が連続的に形成されている。挿通孔１３の下側には、弾性変形可能なアーム（図示省略）が形成され、アームの先端部には、バンド１２を挿通孔１３から抜こうとする場合に係合溝１２２が係合される爪部（図示省略）が形成されている。このため、バンド１２を締める方向（バンド１２を挿通孔１３に挿入する方向）には、挿通孔１３に対してバンド１２が移動可能であり、バンド１２を緩める方向（バンド１２を挿通孔１３から抜去する方向）には、係合溝１２２が爪部に係合されるので、挿通孔１３に対してバンド１２が移動困難である。
【００２１】
クリップ部２は、パネル１６０の取付孔１６１に取付可能に構成され、ワイヤハーネス１５０を保持する取付部１をパネル１６０に固定するために設けられている。取付孔１６１は、たとえば長孔であり、パネル１６０を厚み方向に貫通するように形成されている。クリップ部２は、軸部（本体部）２１と皿部２２と羽根部２３とを含み、プレート１１の長手方向の他方端部（Ｘ２方向側の端部）に配置されている。
【００２２】
軸部２１は、図４に示すように、取付孔１６１に挿入可能に構成され、皿部２２の中央部から下方に延びるように形成されている。軸部２１は、上端部（一方端部）に皿部２２が形成され、下端部（他方端部）に羽根部２３が形成されている。
【００２３】
皿部２２は、皿状（椀状）に形成されており、外縁部に対して中央部が上側に窪むように形成されている。図２に示すように、皿部２２の中央部の上側には、プレート１１の他方端部が連結されている。すなわち、皿部２２に対する一方側（Ｘ１方向側）に取付部１が配置されている。図３に示すように、皿部２２は、平面的に見て、トラック状（角丸長方形状）に形成され、取付孔１６１よりも大きく形成されている。
【００２４】
羽根部２３は、図４に示すように、軸部２１の下端部に、皿部２２の長手方向（Ｙ方向）に左右一対で設けられている。なお、皿部２２の長手方向は、プレート１１の長手方向と直交する方向である。羽根部２３は、軸部２１の下端部から皿部２２側に延びるように形成されている。すなわち、羽根部２３は、軸部２１の下端部から折り返すように形成されている。一対の羽根部２３の外側面の下側は、皿部２２に近づくにつれて互いに離れるように外側に傾斜されている。羽根部２３は、弾性変形可能であり、上側が開閉可能に構成されている。すなわち、羽根部２３の上側がＹ方向に揺動可能に構成されている。
【００２５】
また、羽根部２３には、外側面の上側に係合部２３１ａ〜２３１ｃが形成されている。係合部２３１ａ〜２３１ｃは、内側に窪む段差によって構成されている。係合部２３１ａは、係合部２３１ｂに対して下側および外側に配置され、係合部２３１ｃは、係合部２３１ｂに対して上側および内側に配置され、係合部２３１ｂは、係合部２３１ａおよび２３１ｃの間に配置されている。また、羽根部２３の上端部（皿部２２側の端部）には、係合解除用の押圧片２３２が形成されている。押圧片２３２は、皿部２２の内部空間に配置されている。押圧片２３２の外側面には、図３に示すように、平面的に見て皿部２２の短手方向（Ｘ１およびＸ２方向）に対して傾斜する傾斜面２３２ａが形成されている。傾斜面２３２ａは、Ｘ１方向側の端部から中間部に向けて外側に直線状に傾斜されるとともに、Ｘ２方向側の端部から中間部に向けて外側に直線状に傾斜されている。
【００２６】
そして、図４に示すように、クリップ部２の軸部２１がパネル１６０の取付孔１６１に挿入されることにより、クリップ部２が取付孔１６１に取り付けられている。クリップ部２が取付孔１６１に取り付けられた状態では、皿部２２がパネル１６０の表面１６０ａ側に配置されるとともに、係合部２３１ｃがパネル１６０の裏面１６０ｂに係合されている。すなわち、皿部２２と係合部２３１ｃとの間にパネル１６０が挟み込まれている。このため、クリップ部２が取付孔１６１から脱落しないように取り付けられている。なお、係合部２３１ｃは、長孔である取付孔１６１の長手方向の縁部に係合されている。また、係合部２３１ａおよび２３１ｂは、パネル１６０よりも厚みが大きいパネル（図示省略）にクリップ部２を取り付ける際に係合されるようになっている。
【００２７】
このとき、押圧片２３２がパネル１６０の表面１６０ａ側に配置されている。具体的には、押圧片２３２は、皿部２２の内部空間に配置されるとともに、パネル１６０の表面１６０ａの上側に配置されている。つまり、押圧片２３２は、パネル１６０の表面１６０ａから突出されるとともに、皿部２２によって覆われている。
【００２８】
−ワイヤハーネス用クランプの取り外し作業−
次に、図５および図６を参照して、本実施形態によるワイヤハーネス用クランプ１００のパネル１６０の取付孔１６１からの取り外し作業について説明する。このワイヤハーネス用クランプ１００の取り外し作業は、二股ドライバ（クリップリムーバ）２００を用いて行われる。この二股ドライバ２００は、先端が分岐されることにより、一対の爪部２０１が形成されている。この爪部２０１は薄板によって構成されている。
【００２９】
まず、図５に示すように、二股ドライバ２００の爪部２０１がパネル１６０の表面１６０ａとクリップ部２の皿部２２との間に挿入される。二股ドライバ２００は、たとえば、皿部２２に対する他方側（Ｘ２方向側）、すなわち皿部２２に対して取付部１のプレート１１が配置されていない側から挿入される。このとき、二股ドライバ２００の挿入により皿部２２が弾性変形される。
【００３０】
そして、二股ドライバ２００の爪部２０１が挿入された場合には、爪部２０１が押圧片２３２の傾斜面２３２ａに当接され、押圧片２３２が内側に押し込まれる。このため、図６に示すように、羽根部２３が内側に撓むことにより、パネル１６０の裏面１６０ｂに対する係合部２３１ｃの係合が解除される。このとき、係合部２３１ａ〜２３１ｃが取付孔１６１内に配置され、クリップ部２の軸部２１および羽根部２３を抜き出し可能な状態になる。その後、二股ドライバ２００がパネル１６０に対して上側に持ち上げられることにより、クリップ部２の皿部２２が上側に移動されるとともに、軸部２１および羽根部２３が取付孔１６１から抜き出される。
【００３１】
このようにして、ワイヤハーネス１５０が取付部１に取り付けられた状態のまま、クリップ部２がパネル１６０の表面１６０ａ側（パネル１６０に対してワイヤハーネス１５０が配置される側）から取り外される。
【００３２】
−効果−
本実施形態では、上記のように、羽根部２３の上端部に押圧片２３２を形成することによって、パネル１６０の表面１６０ａと皿部２２との間に二股ドライバ２００を挿入することにより、押圧片２３２を押して羽根部２３を弾性変形させることができるので、パネル１６０の裏面１６０ｂに対する係合部２３１ｃの係合を解除することができる。これにより、ワイヤハーネス１５０が取付部１に取り付けられた状態のまま、パネル１６０の表面１６０ａ側からクリップ部２を取り外すことができるので、ワイヤハーネス用クランプ１００の取付孔１６１からの取り外し作業の作業性を向上させることができる。すなわち、本実施形態のワイヤハーネス用クランプ１００では、ワイヤハーネス１５０を取付部１から取り外すことなく、クリップ部２をパネル１６０の取付孔１６１から取り外すことができる。
【００３３】
また、本実施形態では、押圧片２３２に傾斜面２３２ａを形成することによって、二股ドライバ２００の挿入により、一対の押圧片２３２の両方を内側に押し込むことができるので、一対の係合部２３１ｃの両方の係合を解除することができる。これにより、ワイヤハーネス用クランプ１００の取付孔１６１からの取り外しをより容易にすることができる。
【００３４】
また、本実施形態では、二股ドライバ２００を皿部２２に対する他方側から挿入することによって、二股ドライバ２００が挿入される際に取付部１が妨げにならないので、パネル１６０の表面１６０ａと皿部２２との間に二股ドライバ２００を容易に挿入することができる。
【００３５】
また、本実施形態では、羽根部２３に係合部２３１ａ〜２３１ｃを形成することによって、厚みの異なる３種類のパネル（パネル１６０とパネル１６０よりも厚みの大きい２種類のパネル）に対してクリップ部２を取り付けることができる。すなわち、パネルの厚みに応じて係合部２３１ａ〜２３１ｃのいずれか一つがパネルの裏面に係合されるようになっている。
【００３６】
また、本実施形態では、取付孔１６１が長孔であり、取付孔１６１の長手方向の縁部に係合部２３１ｃが係合することによって、パネル１６０に対してクリップ部２が位置決めされるので、取付部１に取り付けられたワイヤハーネス１５０の向きが変わらないようにすることができる。
【００３７】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００３８】
たとえば、上記実施形態では、ワイヤハーネス１５０がバンド１２によって取り付けられる取付部１を示したが、これに限らず、取付部にバンドが設けられておらず、取付部がプレートによって構成され、そのプレートにワイヤハーネスがテープによって取り付けられていてもよい。
【００３９】
また、上記実施形態では、押圧片２３２に直線状の傾斜面２３２ａが形成される例を示したが、これに限らず、押圧片に曲線状の傾斜面が形成されていてもよいし、押圧片に傾斜面が形成されていなくてもよい。
【００４０】
また、上記実施形態では、二股ドライバ２００を用いてクリップ部２が取り外される例を示したが、これに限らず、マイナスドライバやラジオペンチ（図示省略）などのその他の工具を用いてクリップ部が取り外されてもよい。たとえば、マイナスドライバを用いてクリップ部を取り外す場合には、一方の押圧片の外側からマイナスドライバを差し込んで一方の係合部の係合を解除した後に、他方の押圧片の外側からマイナスドライバを差し込んで他方の係合部の係合を解除するようにしてもよい。
【００４１】
また、上記実施形態では、二股ドライバ２００が皿部２２に対する他方側から挿入される例を示したが、これに限らず、二股ドライバが皿部に対する一方側から挿入されるようにしてもよい。
【００４２】
また、上記実施形態では、羽根部２３に３つの係合部２３１ａ〜２３１ｃが形成される例を示したが、これに限らず、羽根部に形成される係合部の数はいくつであってもよい。
【００４３】
また、上記実施形態では、皿部２２が平面的に見てトラック状に形成される例を示したが、これに限らず、皿部が平面的に見て円形などのその他の形状に形成されていてもよい。
【産業上の利用可能性】
【００４４】
本発明は、ワイヤハーネスをパネルに固定するためのワイヤハーネス用クランプに利用可能である。
【符号の説明】
【００４５】
１        取付部
２        クリップ部
２１      軸部
２２      皿部
２３      羽根部
１００    ワイヤハーネス用クランプ
１５０    ワイヤハーネス
１６０    パネル
１６０ａ  表面
１６０ｂ  裏面
１６１    取付孔
２３１ａ、２３１ｂ、２３１ｃ  係合部
２３２    押圧片
２３２ａ  傾斜面
【図１】
2019161880.tif 000003
【図２】
2019161880.tif 000004
【図３】
2019161880.tif 000005
【図４】
2019161880.tif 000006
【図５】
2019161880.tif 000007
【図６】
2019161880.tif 000008